(57)【要約】【課題】省エネルギーやエコロジーが取り沙汰される中、家や事務所の室内の温度調整を考えると窓は壁や天井・床に比べると非常に断熱効果が悪く、そのためこの部分からの熱ロスが多く、この熱ロスを押さえることで省エネルギー・エコロジーになります。２重窓のアルミサッシや従来の窓とほぼ同じ構造の窓を内窓として既設の窓に取り付けて断熱効果を得る方法がありますがいずれの場合も専門家に施工していただかなければなりません。【解決手段】複数の内窓固定枠を既設の窓枠に固定し、その内窓固定枠に内窓を組み込み、その内窓はガラス板の代わりにアクリルなどの板状のものやエアーキャップなどのシート状のものを組み込むことができ、誰でも簡単に既設の窓枠に取り付けることができる。【選択図】  図１
2010159559.tif 000002
【特許請求の範囲】
【請求項１】
家や事務所やその他色々な場所のアルミサッシなどの窓を取り付けている既設の窓枠の窓の室内側に内窓を取り付ける内窓固定枠を取り付け、その内窓固定枠にガラスに変わるエアーキャップなどシート状の物やアクリル板などの板状の物を取り付けた内窓を取り付けることで、既設のアルミサッシなどの窓の窓ガラスと内窓との間に空間を設けることが出来ることを特徴とする既設の窓枠に取り付ける内窓装置。
【請求項２】
既設の窓枠に取り付ける内窓固定枠は、一つの既設の窓に対して複数の内窓固定枠を組み合わせる構造であり、それぞれの内窓固定枠の縦柱の左右のどちらかまたは両方が段違いの形状をしており、既設の窓枠に内窓固定枠をはめ込み左右の隙間が出来た場合は、この段違いをずらして組み合わせることで既設の窓枠に隙間なく取り付けることが出来ることを特徴とする請求項１記載の既設の窓枠に取り付ける内窓装置。
【請求項３】
既設の窓枠に取り付ける内窓固定枠は、上部に上方向に上下に動く板を有し、更に、その板を上下に移動させることが出来る装置を有し、その装置を動かすことで板が上下し、既設の窓枠に内窓固定枠をはめ込むと上部に隙間が出来る場合は、この上下に動く板を上方向にあげて既設の窓枠の内側に押しつける様に固定します。そのため、隙間なく内窓固定枠を取り付けることが出来ると共に内窓固定枠をしっかりと固定できることを特徴とする請求項１記載の既設の窓枠に取り付ける内窓装置。
【請求項４】
内窓は外枠と内枠とに分かれており、外枠と内枠が蝶板などを支点に開閉が出来る構造であり、閉時は蝶板などの反対側がラッチなどで外枠と内枠が重なり合った状態を保持し安易に開くことが出来ない構造になっており、更に内枠には外枠側にパッキンなどの突起部があり、パッキンなどの突起部とパッキンなどの突起部に挟まれた内側にはアクリル板などの板状の物がはまり込む構造で、また、パッキンなどの突起物と外枠とでエアーキャップなどのシート状のものを挟み込むことが出来る構造であることを特徴とする請求項１記載の既設の窓枠に取り付ける内窓装置。
【請求項５】
内窓は、内窓固定枠と抜き差し蝶板やピンなどを用いて内窓が開閉でき、既設のアルミサッシなどの窓を開けることができることを特徴とする請求項１記載の既設の窓枠に取り付ける内窓装置。
【発明の詳細な説明】
【技術分野】
【０００１】
この発明は、既設の窓の窓枠の室内側に内窓固定枠を取り付けてその内窓固定枠に内窓を取り付け、その内窓にエアーキャップなどのシート状のものを挟み込むか、アクリル板などの板状のものを挟み込み、その内窓と既設の窓との間に空間を設けることができる内窓の形状に関する。
【背景技術】
【０００２】
従来の窓は、図１２の様に壁に既設の窓の窓枠（１）がありその窓枠にアルミサッシ（Ｄ）などの窓が組み付けられています。そのアルミサッシなどの窓は単板のガラス板がはめ込まれており、近年の窓はアルミサッシが多く、アルミサッシの場合は外部と室内とはアルミと単板のガラス板で仕切られていることになります。
【０００３】
そのため、断熱効果や遮音効果が悪いなどの問題があり、特に、断熱効果が悪いと言う問題は、省エネルギーやエコロジー問題に対して対処しなければならない問題です。
省エネルギー・エコロジーに対応するために、最近は、窓ガラスを２枚重ねたペアガラスの窓や既設の窓の室内側に取り付ける内窓があり、また、その他の方法として既設の窓にエアーキャップなどを張り付けるなどの方法もあります。
【先行技術文献】
【特許文献】
【０００４】
【特許文献１】特開２００７−１２６９１３公報
【発明の概要】
【発明が解決しようとする課題】
【０００５】
しかしながら、上記の技術によれば、既設の窓は単板のガラス板とアルミ枠でできており、断熱効果が悪く、そのため、冬期は室外の外気温度が下がり、夏期は室外の外気温度が高くなり、断熱効果が悪いため、室内温度は外気温度の影響を受けて、冬期は室内の温度が下がり易くなり、夏期は室内温度が上がり易くなり、このことで暖房装置や冷房装置が必要以上に作動し電気代やその他の燃料代金が掛かり省エネルギー・エコロジーであるとはいえません。
【０００６】
そこで、窓ガラスを２重にすることでガラス板とガラス板の間に空気の層をつくり断熱効果を持たせるペアーガラスの窓がありますが、これは、既設の窓に取り付けるというよりも窓自体を入れ替えるとか新築の際に熱ロスや遮音効果などを考えてペアガラスの窓を採用するという内容が多く、既設の窓に付加して取り付けると言う方法ではありません。
【０００７】
また、上記で説明した特許文献の場合、内側に取り付ける内窓は、内窓枠と既設の窓枠が同じ大きさで、接着するか両面テープで固定する内枠ですので枠を複数に分割していないため取り付けることが可能となる既設の窓枠の大きさが限られてきます。
このような大きく、重量のあるものの接着方法を恒久的な方法で接着する手段を一般的な住居人では判断がつかずこの部分が専門家の手にゆだねることになります。
いずれの場合も専門家の手にゆだねることになります。
【０００８】
また、その他安価な方法としてエアーキャップを窓に張り付けて断熱効果を上げるという方法がありますが、一度張り付けると既設の窓の開閉ができず、はがさないと空気の入れ換えができなくなります。
【０００９】
そこで、この発明は、既設の窓の窓枠に複数の内窓固定枠にて隙間無く固定でき、それぞれの内窓固定枠にはガラス板に代わるエアーキャップやアクリル板など様々な材質の物を取り付け可能とした内窓を取り付け、既設の窓とその内窓との間に空間を設けることができ、この空間の存在が断熱効果・遮音効果を良くし、省エネルギー・エコロジーであり、更に、その内窓が内窓固定枠に対して開閉可能なため、内窓を開けたときは既設の窓の開け閉めができる内窓装置を提供することを課題とします。
【課題を解決するための手段】
【００１０】
以上の課題を解決するために、第一の発明は、家や事務所やその他色々な場所のアルミサッシなどの窓を取り付けている既設の窓枠の窓の室内側に内窓を取り付ける内窓固定枠を取り付け、その内窓固定枠にガラスに代わるエアーキャップなどシート状のものやアクリル板などの板状のものを取り付けた内窓を取り付けることで、既設のアルミサッシなどの窓の窓ガラスと内窓との間に空間を設けることができることを特徴とする既設の窓枠に取り付ける内窓装置である。
【００１１】
第二の発明は、既設の窓枠に取り付ける内窓固定枠は、一つの既設の窓に対して複数の内窓固定枠を組み合わせる構造であり、それぞれの内窓固定枠の縦柱の左右のどちらかまたは両方が段違いの形状をしており、既設の窓枠に内窓固定枠をはめ込み左右の隙間ができた場合は、この段違いをずらして組み合わせることで既設の窓枠に隙間なく取り付けることができることを特徴とする既設の窓枠に取り付ける内窓装置である。
【００１２】
第三の発明は、既設の窓枠に取り付ける内窓固定枠は、上部に上方向に上下に動く板を有し、更に、その板を上下に移動させることができる装置を有し、その装置を動かすことで板が上下し、既設の窓枠に内窓固定枠をはめ込むと上部に隙間ができる場合は、この上下に動く板を上方向にあげて既設の窓枠の内側に押しつける様に固定します。そのため、隙間なく内窓固定枠を取り付けることができると共に内窓固定枠をしっかりと固定できることを特徴とする既設の窓枠に取り付ける内窓装置である。
【００１３】
第四の発明は、内窓は外枠と内枠とに分かれており、外枠と内枠が蝶板などを支点に開閉ができる構造であり、閉時は蝶板などの反対側がラッチなどで外枠と内枠が重なり合った状態を保持し安易に開くことができない構造になっており、更に内枠には外枠側にパッキンなどの突起部があり、パッキンなどの突起部とパッキンなどの突起部に挟まれた内側にはアクリル板などの板状のものがはまり込む構造で、また、パッキンなどの突起物と外枠とでエアーキャップなどのシート状のものを挟み込むことができる構造であることを特徴とする既設の窓枠に取り付ける内窓装置である。
【００１４】
第五の発明は、内窓は、内窓固定枠と抜き差し蝶板やピンなどを用いて内窓が開閉でき、既設のアルミサッシなどの窓を開けることができることを特徴とする既設の窓枠に取り付ける内窓装置である。
【発明の効果】
【００１５】
上述したように本発明の既設の窓に取り付ける内窓装置は、既設の窓枠に内窓を取り付けることにより、既設の窓と本装置の内窓との間に空気の層を作り、断熱効果・遮音効果を上げることができ省エネルギー・エコロジーになります。
【００１６】
窓の種類は多種多様ありますが、同じ種類の同じ寸法の窓であっても、その窓を取り付けている既設窓枠の形状や寸法が異なり、その既設の窓枠の室内側に対して取り付ける本装置の内窓固定枠が複数で構成されているため、左右密着させるための幅を有しており、更に、それぞれの内窓固定枠には上下に移動する板によって既設の窓に固定でき、その板の幅の分密着させる幅を有しているため取り付け可能となる既設の窓枠の対象が多くなります。
【００１７】
内窓固定枠の内窓は外枠と内枠とで構成されており、蝶板などで開閉ができ、内枠には外枠側にパッキンなどの突起物があり、そのパッキンなどの突起物とパッキンなどの突起物の内側にガラス板の代わりにアクリル板などの板状のものを挟み込むことができ、また、パッキンなどの突起物と外枠との間に挟み込む形でエアーキャップなどのシート状のものを挟み込むことができます。
更に、板状の物とシート状のものを併用して組み込むこともできます。
【００１８】
シート状のものは、エアーキャップやゴミ袋などの様なビニールシートを使えることでとても安価になり、はめ込む物の色を変え採光を調整できることができ、はめ込む物の材質や色を色々と変化させることで様々な効果を得ることが可能となります。
また、内窓が開閉できますので既設の窓の開閉ができますので空気の入れ換えも自由にできます。
【００１９】
内窓固定枠の数を増やすことで、取り付けた内窓の室内側に開く空きしろであるスペースが小さくなり、また、内窓固定枠の組み合わせ方法によっては、既設の窓枠の様々な横方向の大きさに対応できるようになります。
【図面の簡単な説明】
【００２０】
【図１】本装置に関わる内窓を既設の窓に取り付けた時の各部の名称を表す。
【図２】本装置のそれぞれの内窓固定枠の各部の名称を表す。
【図３】本装置の内窓の各部の名称を表す。
【図４】図３のあ〜あ”の断面図
【図５】本装置の図３を組み合わせた時の状態を現す。
【図６】内窓にアルミサッシのガラス板に代わるものを取り付ける状況を表す。
【図７】図６のアルミサッシのガラス板に代わるものを取り付けた状態の内窓を表す。
【図８】本装置の内窓固定枠を既設の窓枠に取り付ける時の左右調整幅を表す。
【図９】本装置の内窓固定枠を既設の窓枠に取り付ける時の高さ調整幅を表す。
【図１０】本装置の内窓固定枠を既設の窓枠に取り付けた状態を表す。
【図１１】既設の窓枠に本装置の内窓固定枠を取り付け、その内窓固定枠に内窓を取り            付ける方法を表す。
【図１２】既設の内窓を表す。
【発明を実施するための形態】
【００２１】
この発明の一実施形態を図１〜図１２に示す。
図１は、本装置を既設の窓の窓枠（１）に内窓固定枠左側（２）と内窓固定枠中央側（３）と内窓固定枠右側（４）をはめ込みます。
【００２２】
この時、既設の窓の窓枠（１）に対し左右方向に隙間が生じた場合の左右の隙間の調整は、図２にある左右調整用凹凸（１８）で左右の隙間が無いように調整ができます。
また、上方向の隙間は、それぞれの高さ調整ネジ（８）を回して内窓固定枠左側高さ調整板（１２）、内窓固定枠中央側高さ調整板（１３）、内窓固定枠右側高さ調整板（１４）を上方向にあげて、既設の窓の窓枠（１）に密着させて固定した後、内窓（５）を組み付けた図です。
【００２３】
内窓固定枠中央側（３）の内窓（５）のみ開閉方向（Ａ）に開いた図で、当然、内窓固定枠左側（２）と内窓固定枠右側（４）の内窓（５）も同じように開閉することができます。
図２は、内窓固定枠左側（２）と内窓固定枠中央側（３）と内窓固定枠右側（４）の詳細図です。
【００２４】
内窓（５）を既設の窓の窓枠（１）に取り付けるため、それぞれの内窓固定枠左側（２）と内窓固定枠中央側（３）と内窓固定枠右側（４）を既設の窓の窓枠（１）に密着させるには、まず、左右方向の密着に対しては、左右調整用凹凸（１８）がそれぞれの内窓固定枠左側（２）と内窓固定枠中央側（３）と内窓固定枠右側（４）にあり、この左右調整用凹凸をずらして取り付けることで左右を密着させることができ、上方向への密着は、内窓固定枠左側高さ調整板（１２）、内窓固定枠中央側高さ調整板（１３）、内窓固定枠右側高さ調整板（１４）をそれぞれの高さ調整ネジ（８）を回して上方向に上げて既設の窓の窓枠（１）に密着させて固定します。
内窓固定枠左側高さ調整板（１２）、内窓固定枠中央側高さ調整板（１３）、内窓固定枠右側高さ調整板（１４）が室内側と室外側との隙間を仕切る役目になります。
【００２５】
内窓固定枠左側（２）には内窓固定枠左側上部枠（１５）が、内窓固定枠中央側（３）には内窓固定枠中央側上部枠（１６）が、内窓固定枠右側（４）には内窓固定枠右側上部枠（１７）が各内窓固定枠の枠の一部として構成されており固定されており動くことがない。
【００２６】
内窓固定枠左側（２）の内窓固定枠左側高さ調整板（１２）は、室外側に配置しており、内窓固定枠中央側（３）の内窓固定枠中央側高さ調整板（１３）は室内側に配置されおり、内窓固定枠右側（４）の内窓固定枠右側高さ調整板（１４）は室外側に配置されています。
【００２７】
上部固定方法で内窓固定枠左側上部枠（１５）・内窓固定枠中央側上部枠（１６）・内窓固定枠右側上部枠（１７）と内窓固定枠左側高さ調整板（１２）・内窓固定枠中央側高さ調整板（１３）・内窓固定枠右側高さ調整板（１４）を室内側室外側に互い違いに分けて配置することで、この部分がこのような分割式でなく一体式で上方向に移動して既設の窓の窓枠（１）に固定すると室内側と室外側の隙間が一体型のため移動した分だけ大きく空き、断熱効果が少なくなりますが、このように分割することで、室内側と室外側の隙間を小さくすることができます。
【００２８】
抜き差し蝶板（９）は、それぞれの内窓固定枠左側（２）と内窓固定枠中央側（３）と内窓固定枠右側（４）を既設の窓の窓枠（１）に固定した後、内窓（５）をそれぞれに取り付けて内窓（５）の開閉を可能とするものです。
【００２９】
図３は内窓（５）の枠の詳細図です。
内窓（５）は、内窓の内枠（６）と内窓の外枠（７）で構成されており、内窓の内枠（６）には、パッキンなどの突起物（２１）が内窓の外枠側にあり、更に内窓の内枠（６）と内窓の外枠（７）を組み付け開閉を可能とする蝶板（１０）があり、それぞれの内窓固定枠左側（２）と内窓固定枠中央側（３）と内窓固定枠右側（４）と内窓（５）を組み付けて開閉を可能とする抜き差し蝶板（９）があり、蝶板（１０）の反対側には内窓の内枠（６）と内窓の外枠（７）を閉じた時に簡単に開かない様に保持するための部品のラッチ（凹側）（１９）がある。
【００３０】
内窓の外枠（７）には、内窓の内枠（６）と内窓の外枠（７）を閉じた時に簡単に開かない様に保持するための部品のラッチ（凸側）（２０）があり、ラッチ（凹側）（１９）とラッチ（凸側）（２０）が噛み合わさって、内窓の内枠（６）と内窓の外枠（７）が閉じた時に簡単に開かない様になる。
【００３１】
図４は図３のあ〜あ”の断面図で内窓の内枠（６）にあるパッキンなどの突起物（２１）の状態を現している。
【００３２】
図５は、内窓の内枠（６）と内窓の外枠（７）を組み合わせてガラス板の代わりになるものが無い状態の枠だけの内窓（５）になった状態を現している。
図６は、図５の内枠（６）と内窓の外枠（７）を組み合わせてガラス板の代わりになるものが無い状態の枠だけの内窓（５）に入れるガラス板の代わりになるアクリル板などの板状のもの（２２）の挟み方やエアーキャップなどのシート状のもの（１１）を挟み込む方法を現している。
【００３３】
アクリル板などの板状のもの（２２）は、パッキンなどの突起物（２１）とパッキンなどの突起物（２１）との内側にはめ込み、パッキンなどの突起物（２１）が辺り止めになり、内窓の内枠（６）と内窓の外枠（７）とで挟み込む。
また、エアーキャップなどのシート状のもの（１１）はパッキンなどの突起物（２１）と内窓の外枠（７）で挟み込んで固定する。
【００３４】
更に、アクリル板などの板状のもの（２２）とエアーキャップなどのシート状のもの（１１）を組み合わせて挟み込んで固定することも可能です。
板状のものはアクリル板以外に木板・塩ビ板などがはめ込むことができ、シート状のものはエアーパッキン以外にゴミ袋などのビニールなどをはめ込むことができます。
【００３５】
図７は図５の窓枠にガラスに代わるものをはめ込んだ内窓（５）の図です。
内窓（５）は内窓固定枠左側（２）・内窓固定枠中央側（３）・内窓固定枠右側（４）に対しても同じものがはめ込むことができます。
図８は図２のところでも説明しましたが、左右調整用凹凸（１８）を組み合わし、凹凸をずらして設置することで左右調整幅（Ｂ）の調整幅ができ、この幅で既設の窓の窓枠（１）に内窓固定枠を組み込んだ時の隙間を無くして密着させることができます。
【００３６】
図９も図２のところでも説明しましたが、既設の窓の窓枠（１）に対し、内窓固定枠左側（２）・内窓固定枠中央側（３）・内窓固定枠右側（４）を組み込んだ時の上方向への隙間調整の説明です。
左右隙間調整後、高さ調整ネジ（８）を回して内窓固定枠左側高さ調整板（１２）、内窓固定枠中央側高さ調整板、（１３）内窓固定枠右側高さ調整板（１４）を上方向に移動させて、上部隙間を調整して既設の窓の窓枠（１）に密着させて固定します。
【００３７】
図１０は、既設の窓の窓枠（１）に内窓固定枠左側（２）・内窓固定枠中央側（３）・内窓固定枠右側（４）を組み付けた図です。
【００３８】
図１１は、図１０の組み付けた内窓固定枠左側（２）・内窓固定枠中央側（３）・内窓固定枠右側（４）に図７の窓枠にガラスに代わるものをはめ込んだ内窓（５）をはめ込む図です。
図１２は、既設の窓の図です。
【００３９】
この実施形態によれば、省エネルギー・エコロジーが盛んに問い沙汰されている昨今、家や事務所における省エネルギー・エコロジーを考えると冬場は暖房・夏場は冷房の設定温度を冬場は低く、夏場は高く設定して冷暖房装置が早く停止することを推奨しており、更に冷暖房の効果を良くすることを考えた場合、窓部の断熱効果がその他の壁や天井・床などに比べると極端に悪く、特にアルミサッシは、アルミ枠でガラスを固定していますので、アルミの熱伝導率が非常に高く、外気がアルミを冬場は冷やし、夏場は暖められ、そのアルミが冬場は室内の温度を下げ、夏場は室内の温度を上げます。
【００４０】
更に、ガラス板もアルミと同じように冬場は室内の温度を下げて夏場は室内の温度を上げることになります。
この熱ロスを少なくすれば、省エネルギー・エコロジーになります。
【００４１】
熱ロスを少なくするため、これまではアルミサッシの窓のガラス板を２重にしたり、内窓として取り付ける方法がありますが、いずれの場合も高価で専門家の手によってリフォームという形であったり新築の家に取り付けられるものです。
この特許の実施形態は、誰でも簡単に既設の窓にビスやボルトや接着剤などを使うことなく取り付けることができ、取り付けた後は既設の窓と取り付けた内窓との間に空気の層ができて断熱効果がアップします。
【００４２】
内窓にはめ込むガラス板の代わりになるものが、手近なもののエアーキャップのシート状のものやアクリル板などの板状のものなので、とても安価に省エネルギー・エコロジーが実現でき、それそれが透明のものであれば、採光できますが、色つきのものを使えば遮光目的にご利用できます。
また、エアーキャップなどを直接窓枠に張り付けても同上の効果を得ることができますが、この場合は、空気の入れ換えができません。
しかし、この実施形態であれば、内窓の開閉ができますので空気の入れ換えもできます。
【００４３】
また、内窓固定枠と内窓との取り付けに抜き差し蝶板を使った場合には、抜き差し蝶板であれば、開き勝手が一方向にしか開けることができませんが、内窓側に上下するピンを取り付け、内窓固定枠側の左右にピンの受け穴にしておくと、開方を右開き・左開きのどちらにでも可能にすることができます。
【符号の説明】
【００４４】
１．既設の窓の窓枠
２．内窓固定枠左側
３．内窓固定枠中央側
４．内窓固定枠右側
５．内窓
６．内窓の内枠
７．内窓の外枠
８．高さ調整ネジ
９．抜き差し蝶板
10．蝶板
11．アーキャップなどのシート状のもの
12．内窓固定枠左側高さ調整板
13．内窓固定枠中央側高さ調整板
14．内窓固定枠右側高さ調整板
15．内窓固定枠左側上部枠
16．内窓固定枠中央側上部枠
17．内窓固定枠右側上部枠
18．左右調整用凹凸
19．ラッチ（凹側）
20．ラッチ（凸側）
21．パッキンなどの突起物
22．アクリル板などの板状のもの
Ａ．内窓の開閉方向
Ｂ．左右調整幅
Ｃ．高さ調整幅
Ｄ．アルミサッシ
【図１】
2010159559.tif 000003
【図２】
2010159559.tif 000004
【図３】
2010159559.tif 000005
【図４】
2010159559.tif 000006
【図５】
2010159559.tif 000007
【図６】
2010159559.tif 000008
【図７】
2010159559.tif 000009
【図８】
2010159559.tif 000010
【図９】
2010159559.tif 000011
【図１０】
2010159559.tif 000012
【図１１】
2010159559.tif 000013
【図１２】
2010159559.tif 000014